(57)【要約】【課題】複数の送出サーバにスタンバイを可能とさせるために、効率良く候補素材を転送、蓄積可能なマルチチャネルビデオサーバ及び素材管理方法を提供する。【解決手段】センターストレージ部１は、プレイリストＰＬをＤＳ３または、ＡＰＣ４から受信すると収録リスト中の素材の先頭部分をキャッシュサーバ２１〜２ｎへデータネットワークＤＮを介して送信し、キャッシュサーバ２１〜２ｎは、先頭部分のみ記憶蓄積手段へ蓄積する。ＡＰＣ４から特定の番組素材のデータの送出準備を指示するスタンバイコマンドを受信すると、センターストレージ部１は、先頭部分以外をキャッシュサーバ２１へ送信し、キャッシュサーバ２１は、残りの先頭部分以外を含めて記憶蓄積手段で蓄積し、当該素材を送出するスタートコマンドを受信すると先頭部分からデコーダ手段を介して復元した素材をスイッチャ等を介して送信機へ向けて送出する。【選択図】図１
2009303041.tif 000002
【特許請求の範囲】
【請求項１】
複数多量の番組素材のデータを蓄積するセンターストレージ部と、前記センターストレージ部から前記蓄積された番組素材のデータをデータネットワークを介して入力して記憶蓄積し、それらのデータを送信機へ向けて更に送出する複数の送出サーバとを備え、番組編成、番組送出を管理する放送局の電子情報処理システムが送信する制御情報を受信して、前記入力される前記複数の番組素材のデータを前記送出サーバの記憶蓄積手段との間で書込、又は、読み出して前記送出するマルチチャネルビデオサーバにおいて、
前記情報処理システムから送信される番組素材のデータを前記蓄積する収録リストを受信し、複数の番組素材のデータを前記蓄積する第１の記憶手段と、前記収録リストを前記受信した場合前記蓄積する制御、および前記情報処理システムからその収録リストに含まれ前記送出する候補となる番組素材のデータのプレイリストを受信した場合、前記第１の記憶手段からそのプレイリストで指定された番組素材のデータを読出して所定の量のその先頭部分のデータに、当該番組素材のデータの先頭部分を示す固有の識別情報を付与して前記ネットワークを介して前記送出サーバへ転送し、更に前記指定された番組素材のデータのスタンバイコマンドを受信した場合、前記指定された番組素材の先頭部分以外のデータを前記送出サーバへ更に転送する制御を行う制御手段とを備えるセンターストレージ部と、
それぞれが、前記プレイリストを受信した場合、前記転送された先頭部分のデータを前記識別情報により区別してキャッシュする記憶蓄積を行い、前記スタンバイコマンドを受信した場合、前記更に転送された前記先頭部分以外のデータをバッファし記憶蓄積してスタンバイする第２の記憶手段と、前記キャッシュと前記バッファして記憶蓄積を行いスタンバイする制御、および前記前記情報処理システムから第２の記憶手段に記憶している前記スタンバイ中のデータを指定して送出するコマンドを受信した場合、前記指定された前記スタンバイ中のデータを前記第２の記憶手段から読み出して送出する制御を行う制御手段とを備える複数の送出サーバとを
具備することを特徴とするマルチチャネルサーバ。
【請求項２】
前記第２の記憶手段は、
データ書込中に前記書込中のデータを読み出す読み出しコマンドを受信した場合、直ちにその前記書込まれたデータを読み出して出力する書込中読み出しが可能であることを特徴とする請求項１記載のマルチチャネルビデオサーバ。
【請求項３】
複数多量の番組素材のデータを蓄積するセンターストレージ部と、前記センターストレージ部から前記蓄積された番組素材のデータをデータネットワークを介して入力して記憶蓄積し、更に送信機へ向けて送出する複数の送出サーバとを備え、番組編成、番組送出を管理する放送局の電子情報処理システムから受信する制御情報により複数の番組素材のデータを前記送出サーバの記憶蓄積手段との間で書込、又は、読み出して前記送出を行うマルチチャネルビデオサーバの素材管理方法において、
前記センターストレージ部は、
前記情報処理システムから受信する番組素材のデータの収録リストに基づき、複数の番組素材のデータを前記蓄積し、前記情報処理システムからその収録リストに含まれ、前記送出する候補の番組素材のデータのプレイリストを受信した場合、そのプレイリストで指定された番組素材のデータの所定の量の先頭部分のデータに、当該番組素材のデータの先頭部分を示す固有の識別情報を付与して前記ネットワークを介して前記送出サーバへ転送し、更に前記指定された番組素材のデータのスタンバイコマンドを受信した場合、前記指定された番組素材のデータの先頭部分以外のデータを前記送出サーバへ更に転送し、
前記プレイリストを受信した前記送出サーバは、
前記センターストレージ部から前記転送された先頭部分のデータを受信して前記記憶蓄積手段に前記判別情報により区別してキャッシュして記憶蓄積するとともに、前記スタンバイコマンドを受信した場合、前記更に転送された前記先頭部分以外のデータをバッファする記憶蓄積をしてスタンバイし、
前記前記情報処理システムから、スタンバイ中の前記番組素材のデータを指定して送出するコマンドを受信した場合、前記指定された番組素材のデータを前記記憶蓄積手段から読み出して送出する
ことを特徴とするマルチチャネルサーバの素材管理方法。
【発明の詳細な説明】
【技術分野】
【０００１】
本発明は、放送局で使用するマルチチャネルビデオサーバ及び素材管理方法に関する。
【背景技術】
【０００２】
放送番組は、ニュース、スポーツ中継の様な生（リアルタイム）放送と、ドラマ、バラエティ、音楽番組の様な収録番組に大別されるが、ニュース、ワイドショーなどの様な生放送中にビデオ取材していた収録コンテンツ（収録素材）を放送する場合がある。
【０００３】
従来、生放送中に使用される収録素材は、送出タイミングも概ね決められ、例えば、スタンバイしているＶＴＲが、オペレータからのコマンドによりＶＴＲテープに収録していた映像信号を送出開始していた。最近では、収録素材は、ディスク装置や半導体メモリによるビデオサーバに蓄積され、複数の放送候補である収録素材がスタンバイするようになり、番組進行に併せてオペレータから指定された番組素材が、オペレータから入力される送出タイミングにより送出されるようになって来た。
【０００４】
オペレータから出力されるコマンドは、送出タイミングは概ね予定されたものであっても、臨機応変な素材選択に対応できるよう、複数の番組送出用のビデオサーバ（以下、送出サーバと呼ぶ。）に候補素材を待機（スタンバイ）させることが行われる。この様な場合、候補素材は、主素材蓄積装置（以下、マスターサーバと呼ぶ。）に記憶されており、マスターサーバと送出サーバとの間を接続するネットワークを介して予め候補素材が送出サーバへ転送蓄積される。
【０００５】
従来は、予め、番組の放送開始、もしくは想定される送出タイミングに備えて全ての候補素材をそれぞれの送出サーバに候補素材の蓄積を済ませてスタンバイさせなければならなかった。一方、ネットワークの伝送容量には、限りがあるため放送開始の相当前の時点で、各素材に割り当てられたサーバに素材の蓄積と転送をしなければならなかった。そして、短時間で候補素材を転送するネットワークの帯域確保をするために、送出サーバの候補素材の蓄積状態を調べ、転送を行う場合に候補素材の蓄積優先度を設ける等の（例えば、特許文献１。）手段が考案されている。
【０００６】
しかしながら、限られた帯域のネットワークでは複数の候補素材を各送出サーバに同時に転送と蓄積を済ませることが困難な問題が有った。
【特許文献１】特開２０００−８３１９２号公報  （第３２頁、第７図）
【発明の開示】
【発明が解決しようとする課題】
【０００７】
従来、ネットワークの帯域が限られているので、複数の候補素材を放送に備えて各ビデオサーバにスタンバイさせるために複数の候補素材を短時間で各送出サーバに同時に転送と蓄積を済ませなければならない問題が有った。
【０００８】
本発明は上記問題を解決するためになされたもので、複数の送出サーバにスタンバイを可能とさせるために、特別に高速データ転送が可能なネットワークを用いることなく効率良く候補素材を転送、蓄積可能なマルチチャネルビデオサーバ及び素材管理方法を提供することを目的とする。
【課題を解決するための手段】
【０００９】
上記目的を達成するために、本発明のマルチチャネルサーバは、複数多量の番組素材のデータを蓄積するセンターストレージ部と、前記センターストレージ部から前記蓄積された番組素材のデータをデータネットワークを介して入力して記憶蓄積し、それらのデータを送信機へ向けて更に送出する複数の送出サーバとを備え、番組編成、番組送出を管理する放送局の電子情報処理システムが送信する制御情報を受信して、前記入力される前記複数の番組素材のデータを前記送出サーバの記憶蓄積手段との間で書込、又は、読み出して前記送出するマルチチャネルビデオサーバにおいて、前記情報処理システムから送信される番組素材のデータを前記蓄積する収録リストを受信し、複数の番組素材のデータを前記蓄積する第１の記憶手段と、前記収録リストを前記受信した場合前記蓄積する制御、および前記情報処理システムからその収録リストに含まれ前記送出する候補となる番組素材のデータのプレイリストを受信した場合、前記第１の記憶手段からそのプレイリストで指定された番組素材のデータを読出して所定の量のその先頭部分のデータに、当該番組素材のデータの先頭部分を示す固有の識別情報を付与して前記ネットワークを介して前記送出サーバへ転送し、更に前記指定された番組素材のデータのスタンバイコマンドを受信した場合、前記指定された番組素材の先頭部分以外のデータを前記送出サーバへ更に転送する制御を行う制御手段とを備えるセンターストレージ部と、それぞれが、前記プレイリストを受信した場合、前記転送された先頭部分のデータを前記識別情報により区別してキャッシュする記憶蓄積を行い、前記スタンバイコマンドを受信した場合、前記更に転送された前記先頭部分以外のデータをバッファし記憶蓄積してスタンバイする第２の記憶手段と、前記キャッシュと前記バッファして記憶蓄積を行いスタンバイする制御、および前記前記情報処理システムから第２の記憶手段に記憶している前記スタンバイ中のデータを指定して送出するコマンドを受信した場合、前記指定された前記スタンバイ中のデータを前記第２の記憶手段から読み出して送出する制御を行う制御手段とを備える複数の送出サーバとを具備することを特徴とする。
【００１０】
また、本発明の本発明のマルチチャネルサーバの素材管理方法は、複数多量の番組素材のデータを蓄積するセンターストレージ部と、前記センターストレージ部から前記蓄積された番組素材のデータをデータネットワークを介して入力して記憶蓄積し、更に送信機へ向けて送出する複数の送出サーバとを備え、番組編成、番組送出を管理する放送局の電子情報処理システムから受信する制御情報により複数の番組素材のデータを前記送出サーバの記憶蓄積手段との間で書込、又は、読み出して前記送出を行うマルチチャネルビデオサーバの素材管理方法において、前記センターストレージ部は、前記情報処理システムから受信する番組素材のデータの収録リストに基づき、複数の番組素材のデータを前記蓄積し、前記情報処理システムからその収録リストに含まれ、前記送出する候補の番組素材のデータのプレイリストを受信した場合、そのプレイリストで指定された番組素材のデータの所定の量の先頭部分のデータに、当該番組素材のデータの先頭部分を示す固有の識別情報を付与して前記ネットワークを介して前記送出サーバへ転送し、更に前記指定された番組素材のデータのスタンバイコマンドを受信した場合、前記指定された番組素材のデータの先頭部分以外のデータを前記送出サーバへ更に転送し、前記プレイリストを受信した前記送出サーバは、前記センターストレージ部から前記転送された先頭部分のデータを受信して前記記憶蓄積手段に前記判別情報により区別してキャッシュして記憶蓄積するとともに、前記スタンバイコマンドを受信した場合、前記更に転送された前記先頭部分以外のデータをバッファする記憶蓄積をしてスタンバイし、前記前記情報処理システムから、スタンバイ中の前記番組素材のデータを指定して送出するコマンドを受信した場合、前記指定された番組素材のデータを前記記憶蓄積手段から読み出して送出することを特徴とする。
【発明の効果】
【００１１】
本発明によれば、複数の送出サーバにスタンバイを可能とさせるために、効率良く候補素材を転送、蓄積可能なマルチチャネルビデオサーバ及び素材管理方法を提供することができる。
【発明を実施するための最良の形態】
【００１２】
以下、図面を参照して本発明の実施例を説明する。
【実施例】
【００１３】
図１は本発明の実施例に係るマルチチャネルビデオサーバの機能ブロック図である。  
図１においてマルチチャネルビデオサーバＳは、センターストレージ部１、キャッシュサーバ２１〜２ｎ、センターストレージ部１とキャッシュサーバ２１〜２ｎの間を接続し、素材データを転送するデータネットワークＤＮおよび素材データ転送や各キャッシュサーバの記憶装置の動作制御データを伝送するコントロールバスＣＢとを備えている。各キャッシュサーバ２１〜２ｎは、番組時刻表に従って放送するための番組素材のデータを蓄積し、オンエアに備えて待機する。
【００１４】
センターストレージ部１は、複数の放送用の番組素材のデータを集中的に蓄積管理する大容量記憶蓄積手段である。またキャッシュサーバ２１〜２ｎは、それぞれが独立して番組素材のデータを送出する従来の送出サーバに相当する。そして、番組素材のデータの蓄積は、始めは先頭部分のみセンターサーバから各々所定のキャッシュサーバへデータネットワークＤＮを介してマルチチャネル同時送信されたものを各々で記憶蓄積し、優先度の高い番組素材のデータから残りの先頭部分が順番に伝送されてスタンバイに備えて蓄積される。
【００１５】
データネットワークＤＮは、素材データ（コンテンツファイル）を高速伝送するために帯域を備え、少なくとも、映像信号１チャネル分をリアルタイムで伝送可能な伝送容量が確保されている。
【００１６】
マルチチャネルビデオサーバＳは、番組放送時刻を管理する放送局の電子情報システムのデータサーバ（ＤＳ）３、及びＤＳ３に従い番組素材のデータの送出を制御する番組自動送出設備（ＡＰＣ）４と制御バス５を介して接続される。この制御バス５は、番組送出に係わる制御情報を伝送するネットワークであってセンターストレージ部１、キャッシュサーバ２１〜２ｎ、ＤＳ３と、ＡＰＣ４との間を相互接続している。
【００１７】
ＤＳ３は、放送局の番組放送用に蓄積する素材名（素材の識別情報）の収録リストと番組時刻表に掲載され素材送出時刻を反映して送出するプレイリストとを制御バス５を介してセンターストレージ部１とＡＰＣ４へ送出する。センターストレージ部１は、プレイリストのデータを判読して指定された素材のコンテンツファイルを同じく指定先の送出キャッシュサーバ２１〜２ｎのいずれかへ転送する。
【００１８】
この過程において、素材（コンテンツファイル）は、最初に所定の先頭部分データのみ該当キャッシュサーバへ転送、蓄積され、その後、ＡＰＣ４からのＳＴＢＹコマンドを受信すると、残りのコンテンツファイル部分が更にセンターストレージ部１からキャッシュサーバへ転送、蓄積されてＳＴＢＹ（待機状態）になる。
【００１９】
そして、オンエアの為のＳＴＡＲＴコマンドをＡＰＣ４から受信したタイミングで、番組素材のデータがスイッチャ、多重部を介して送信機へ送出される。複数のキャッシュサーバに同時にＳＴＡＲＴコマンドが送信された場合、それらのキャッシュサーバに番組素材のデータファイルが蓄積済みであれば、複数チャネルで番組素材のデータは送出可能で有ることは、従来のマルチチャネルビデオサーバと同様である。
【００２０】
図２は、マルチチャネルビデオサーバＳの動作を説明する機能ブロック図である。  
図２において、マルチチャネルビデオサーバＳのセンターストレージ部１は、通信ＩＦ１１、メインＣＰＵ１２、ストレージメモリ１３を備え、キャッシュサーバ２１〜２ｎは、それぞれ通信ＩＦ２０１、サブＣＰＵ２０２、メモリ２０３、デコーダ２０４を備える。メモリ２０３は、大容量半導体メモリの様な書込中読み出しが可能な記憶装置である。
【００２１】
ストレージメモリ１３とキャッシュサーバ部２１〜２ｎの各メモリ２０３は、データネットワークＤＮ、同様にメインＣＰＵ１２とサブＣＰＵ２０２との間は、コントロールバスＣＢで接続される。
【００２２】
通信ＩＦ１１と通信ＩＦ２０１とは、制御バス５との間のデータ送受信インタフェースである。制御バス５は、ＤＳ３が送出する番組時刻表情報、またセンターストレージ部１や各キャッシュサーバ２１〜２ｎへＡＰＣ４が送出する番組素材のデータ送出するタイミングコマンド等番組送出制御に係わる送出制御情報が伝送される。通信ＩＦ１１、通信ＩＦ２０１を介して入力されたこれらの送出制御情報は、メインＣＰＵ１２、サブＣＰＵ２０２で反動され所定のメモリアクセス制御を行う。
【００２３】
図３は、ＤＳ３で管理するニュースショー番組に係わる番組時刻表、図４は、センターストレージ部１が受信する収録リスト、図５は、番組時刻表に基づきＡＰＣ４が、番組送出を管理するスケジュールリストである。  
図３において、ニュースショー番組は１３：００から開始される１時間番組で、１３：０１から１分間の広告の後、スタジオカメラでの生放送に続き、１３：１５：００前後に、スタッフが取材先の災害発生地からの中継車を介して現地放送を行う予定になっている。
【００２４】
ところが、中継現場での天候、また周囲状況によりカメラ実況中継が出来ない可能性、またその実況中であっても、アナウンサ取材に先立ち撮影した映像を紹介しなければならないことが発生することを考慮し番組準備が行われる。そこで、センターストレージ部１には、番組編成が計画されて番組時刻表ＴＴが作成された後、適宜放送に先立ち予備の番組素材のデータを蓄積し、又キャッシュサーバに放送に備えて素材を蓄積する準備が進められる。
【００２５】
図４は、ニュースショーを含めて他の番組で放送する素材を蓄積する収録リストＬＴの一例である。この収録リストＬＴは、例えば、放送開始の数日前迄にＤＳ３から入力され、それに従って、局内の素材送出装置（図示せず。）からスイッチャ、ネットワーク等を介して収録リストＬＴ上の素材がセンターストレージ部１へ収録される。
【００２６】
収録リストＬＴ上で、素材送出の欄には、「ＶＳ＃」と記述されているが、これは、ＤＳサーバ３から受信した時点では、どのキャッシュサーバに転送するかの予定は決まっていないが、いずれかのキャッシュサーバに転送されて送出される素材である事を意味している。
【００２７】
図５は、図３の番組時刻表ＴＴに基づき、ＡＰＣ４が番組送出を管理するスケジュールリストＳＬであって、図５上で黒枠に囲まれた斜体字部分の１２：３０：００に送出されるコマンド「ＰＬＡＹ」によって指定される装置と素材を示すプレイリストＰＬである。また、素材がどのキャッシュサーバ２１〜２ｎに蓄積されるかもＣＳ２１〜２ｎの記号で示されている。
【００２８】
そして、最終的には、１３：１５：００前後になり、予定通りの場合には、図５（ａ）部分に示されるように中継車からの生放送が放送されるが、現場の状況に応じて変更が有る場合このプレイリストＰＬに示されるいずれかのキャッシュサーバ２１、２２、２ｎからの素材がオペレータのコマンドにより選択されてオンエアする素材として送出される。
【００２９】
つまり、図５において、中継車からの実況カメラ映像放送に加えて収録リストＬＴに送出素材候補として記載されている（１）災害発生時点の取材映像素材「AA0023X10」（２）先行取材した取材映像素材「AA0023X11」、（３）時間調整の為の広告番組素材「QA0023X02」の３つの収録素材を同時にキャッシュサーバ２１、２２、２ｎへ振り分けて蓄積してスタンバイさせる番組送出案を示すスケジュールが素材送出装置の識別情報と共に記されている。
【００３０】
この振り分けは、ＡＰＣ４のスケジュール管理についての情報として、オペレータから図示しないＡＰＣ４の入力手段から入力されるか、又は、ＤＳ３から制御バス５を介してＡＰＣ４に入力された結果設定されたものである。
【００３１】
図６は、マルチチャネルビデオサーバＳにおける番組送出手順を説明するフローチャートである。  
以下図１〜図５と、図６とを参照してマルチチャネルビデオサーバＳの動作処理手順を説明する。
【００３２】
番組の放送計画が策定され、放送の素材および素材送出装置の概要が計画されるとＤＳ３は、制御バス５を介して番組時刻表ＴＴをＡＰＣ４へ送信すると共に、収録番組素材を収録する収録リストＬＴをＡＰＣ４とマルチチャネルビデオサーバＳへ送信する（図６のステップｓ１）。
【００３３】
収録リストＬＴを制御バス５と通信ＩＦ１１とを介して受信したマルチチャネルビデオサーバＳは、同様に制御バス５を介して入力される、ＡＰＣ４、または、番組素材の蓄積管理を行うための図示されないＡＭＳ（Ａｓｃｅｔ  Ｍａｎｇｅｍｅｎｔ  Ｓｅｒｖｅｒ）からの収録制御情報か、もしくは、図示されない制御入力手段からオペレータにより入力される収録制御情報により収録リストＬＴに記された素材をストレージメモリ１３へ書込み蓄積して収録する（ステップｓ２）。
【００３４】
図２において、ストレージメモリ１３では、素材ＩＤ毎のファイル管理を行い素材を蓄積さする。そして、素材１を先頭部分１Ａ、先頭以外の部分を１Ｂと区分して示している（他の素材２〜素材ｎも同様に２Ａ、２ｂおよびｎＡ、ｎＢとなる。）。
【００３５】
また、図４のスケジュールリストＳＬの素材ＩＤ「AA0023X10」が素材１に、「AA0023X11」、「QA0023X02」が素材２、素材ｎに対応している。
【００３６】
この場合、センターストレージ部１へ入力される素材は、例えば、ＶＴＲテープの様な記憶媒体インタフェースであるか、又は、外部の素材送出装置等からデータネットワークＤＮを介して入力するデータ入力インタフェースとして機能する図２の入力手段６により入力される。
【００３７】
一方ＡＰＣ４では、図３の番組時刻表ＴＴに基づき、マルチチャネルビデオサーバＳ始めスタジオカメラ、局内ネットなど各種の素材送出装置からの素材送出を選択、切替て送出する制御のための図５のスケジュールリストＳＬが作成される。このスケジュールリストＳＬは、ＤＳ３からのデータを元に、ＡＰＣ４が所定のプログラムとオペレータから入力されるコマンドにより作成される。
【００３８】
スケジュールリストＳＬには、各キャッシュサーバ２１〜２ｎがオンエアに備えて蓄積するプレイリストＰＬが反映されている。プレイリストＰＬは、ＤＳ３、又は前述のＡＭＳ４からセンターストレージ部１と各キャッシュサーバとに送出されるが、ここでは、ＡＰＣ４で編集される場合を例に説明する。
【００３９】
ＡＰＣ４は、制御バス５を介して図５のスケジュールリストＳＬに従って、「１２：３０：００」にセントラルストレージ部１とキャッシュサーバ２１、２２、２ｎへプレイリストＰＬを送信する（ステップｓ３）。
【００４０】
プレイリストＰＬを受信したセンターストレージ部１のメインＣＰＵ１２は、キャッシュサーバ２１、２２、２ｎへ素材ＩＤが「AA0023X10」、「AA0023X11」、「QA0023X02」に対応する素材の先頭部分（１Ａ、２Ａ、ｎＡ）をデータネットワークＤＮを介して送信する（ステップｓ４）。
【００４１】
先頭部分は、例えば、放送時間が、２−３秒であり、キャッシュサーバが読み出し中に書込が指示された場合、書込こまれたデータを直ちに読み出すことが可能な余裕時間が確保される。
【００４２】
キャッシュサーバ２１は、素材１の先頭部分１Ａをメモリ２０３へ書込み蓄積する（ステップｓ５）。キャッシュサーバ２２、２ｎに付いても同様に素材の先頭部分２Ａ、ｎＡを書込み蓄積する。そして「１２：３５：００」になるとＡＰＣ４は、セントラルストレージ部１とキャッシュサーバ２１とに放送に備えてスタンバイする「ＳＴＢＹ」コマンドを送信する（ステップｓ６）。
【００４３】
「ＳＴＢＹ」コマンドを受信したセンターストレージ部１のメインＣＰＵ１１は、素材ＩＤが「AA0023X10」の先頭部１Ａ以外の素材１Ｂをストレージメモリ１３から読み出し、データネットワークＤＮを介してキャッシュサーバ２１へ転送する（ステップｓ７）。
【００４４】
同様にキャッシュサーバ２１のサブＣＰＵ２０１は、メモリ２０３から先頭部１Ａを読み出してＤＥＣ２０４に転送しバッファしそして、更にセンターストレージ部１から転送される素材１Ｂを受信し、メモリ２０３へ書込蓄積して待機、即ち、ＳＴＢＹをする（ステップｓ８）。
【００４５】
そして、「１３：１５：００」になった時、現場の中継車からの実況中継に先立ち、Ａ地方の台風災害の収録映像を紹介するためにオペレータがＡＰＣ４の図示されない入出力手段から、「ＳＴＡＲＴ：ＣＳ２１」のコマンドを入力したとする。この場合、ＡＰＣ４は、中継車からの信号の代わりに、キャッシュサーバ２１に対して「ＳＴＡＲＴ」のコマンドを送信し（ステップｓ９）送出開始の指示を行い、またスイッチャにもキャッシュサーバ２１から出力される素材信号を選択入力して送信機に出力する接続切替を指示する。
【００４６】
キャッシュサーバ２１では、サブＣＰＵ２０１がＤＥＣ２０４から復号化された先頭部分の素材１Ａの映像信号とそれにスイッチャに出力させると共に、続く素材１Ｂの素材データをメモリ２０３から順次読み出してＤＥＣ２０４のバッファへ入力し、ＤＥＣ２０４から素材１を連続送出させる（ステップｓ１０）。
【００４７】
なお、「ＳＴＢＹ」コマンドが出力されてから、「ＳＴＡＲＡＴ」が送信されるまでに十分時間が有るか、または、データネットワークＤＮの伝送帯域に余裕があり、リアルタイム以上の伝送速度で転送が終了すれば、キャッシュサーバ２２、２ｎにも同様に先頭部分以外の素材２Ｂ、ｎＢの蓄積が終了する。そして、どのキャッシュサーバでも、ＳＴＡＲＴを受信すれば素材が連続的に送出可能になる。
【００４８】
また、「ＳＴＢＹ」コマンドに続いて直ぐに「ＳＴＡＲＴ」コマンドを受信した場合、先頭部分を読み出して出力しつつ、先頭部分に続いて書き込まれた素材データを読み出して出力することを可能にしている。
【００４９】
即ち、例えば、図５のプレイリストにおいてＣＳ２１の代わりに更にＣＳ２ｎが素材の転送が終了しない状態でも「ＳＴＡＲＴ」コマンドを受信すれば、直ちに先頭部分を送出する一方、続けて先頭部以外のデータを書込みつつ直ぐに読み出す“追いかけ再生”をおこなうことにより、広告番組を出力することが可能になる。この様な追いかけ再生は、特に大容量半導体メモリで実行可能である。
【００５０】
なお、センターストレージ部１のメインＣＰＵ１２は、データネットワークＤＮの通信トラフィックをモニタし、トラフィック量があらかじめ想定されたものより低い場合、同時にキャッシュサーバへそれぞれ割り当てられた番組素材を同時送信するか、又は、ＤＳ３か、オペレータから指定された優先順位で「ＳＴＢＹ」コマンドを受信する前に先頭以外の部分を各キャッシュサーバへ転送することにより、ＳＴＢＹ受信前に、実効的にスタンバイしていても良い。この場合、データネットワークの負荷（トラフィック）は、単位時間内にパケットを送信している通過ビット数をカウントする等、ネットワークのＭＡＣ層で観測すれば良い。
【００５１】
この様に複数のキャッシュサーバへそれぞれ番組素材のデータを蓄積しておけば、マルチチャネルビデオサーバとして機能し、同時に複数の番組素材を送出することが可能である。例えば、上述の例で、キャッシュサーバＣＳ２１とＣＳ２２から同時に収録素材を多重部に向けて出力し、多重部（映像編集手段）では、２つの映像を重畳表示するように編集してから更に送信機へ向けて送出する事が可能になる。
【００５２】
以上説明した如く、本発明の実施例によるマルチチャネルビデオサーバでは、限られた伝送帯域のネットワークでセンターストレージ部とキャッシュサーバ、言い換えれば送出サーバとの間が接続される場合であって複数の番組素材のデータを短時間で送出可能にスタンバイすることができる。
【図面の簡単な説明】
【００５３】
【図１】本発明の実施例に係るマルチチャネルビデオサーバの機能ブロック図。
【図２】マルチチャネルビデオサーバの動作を説明する詳細機能ブロック図。
【図３】ＤＳが管理するニュースショー番組に係わる番組時刻表。
【図４】センターストレージ部が受信する収録リスト。
【図５】番組時刻表に基づきＡＰＣが、番組送出を管理するスケジュールリスト。
【図６】マルチチャネルビデオサーバにおける番組送出手順を説明するフローチャート。
【符号の説明】
【００５４】
１  センターストレージ部
１１、２０１  通信ＩＦ
１２  メインＣＰＵ
１３  ストレージメモリ
２１〜２ｎ  キャッシュサーバ
２０２  サブＣＰＵ
２０３  メモリ
２０４  ＤＥＣ
３  データサーバ（ＤＳ）
４  自動番組送出設備（ＡＰＣ）
５  制御バス
ＤＮ  データネットワーク
ＣＢ  コントロールバス
ＬＴ  収録リスト
ＰＬ  プレイリスト
ＳＬ  スケジュールリスト
ＴＴ  番組時刻表
【図１】
2009303041.tif 000003
【図２】
2009303041.tif 000004
【図３】
2009303041.tif 000005
【図４】
2009303041.tif 000006
【図５】
2009303041.tif 000007
【図６】
2009303041.tif 000008